(57)【要約】  光ディスクのトラックの状態に基づく信号からミラー信号を生成する場合、トラックの状態に基づく信号を２値化するためのスライスレベルが不安定になる場合があった。  ローパスフィルタ部３０は、トラックの状態に基づく信号を２値化するためのスライスレベルを、その信号から生成する。サンプル・ホールド部４０は、トラッキングサーボが無効のとき所定のタイミングでサンプルしたスライスレベルを保持する。比較部５０は、トラックの状態に基づく信号とスライスレベルとを比較し、ミラー信号を生成する。ローパスフィルタ部３０は、トラッキングサーボが有効から無効にされるとき、サンプル・ホールド部４０に保持されているスライスレベルを利用する。【特許請求の範囲】
【請求項１】
光ディスクのトラックの状態に基づく信号からミラー信号を生成する方法であって、
トラッキングサーボが有効から無効にされるときの、前記トラックの状態に基づく信号を２値化するためのスライスレベルを、トラッキングサーボが前回の無効のときに所定のタイミングでサンプルして保持しているスライスレベルを利用して、生成することを特徴とするミラー信号生成方法。
【請求項２】
トラッキングサーボが有効から無効にされるときの前記スライスレベルを、トラッキングサーボが前回の無効から有効にされるときのタイミングでサンプルしたスライスレベルを利用して、生成することを特徴とする請求項１に記載のミラー信号生成方法。
【請求項３】
光ディスクのトラックの状態に基づく信号からミラー信号を生成する回路であって、
前記トラックの状態に基づく信号を２値化するためのスライスレベルを、その信号から生成するスライスレベル生成部と、
トラッキングサーボが無効のとき所定のタイミングでサンプルした前記スライスレベルを保持するためのサンプル・ホールド部と、
前記トラックの状態に基づく信号と前記スライスレベルとを比較し、ミラー信号を生成する比較部と、を備え、
前記スライスレベル生成部は、トラッキングサーボが有効から無効にされるとき、前記サンプル・ホールド部に保持されているスライスレベルを利用することを特徴とするミラー信号生成回路。
【請求項４】
前記サンプル・ホールド部に前記スライスレベルをサンプルするためのタイミングを供給する制御信号を生成する制御信号生成部をさらに備え、
前記制御信号生成部は、トラッキングサーボが無効から有効にされるときのタイミングを前記サンプル・ホールド部に供給することを特徴とする請求項３に記載のミラー信号生成回路。
【請求項５】
前記制御信号生成部は、トラッキングサーボが無効のとき前記スライスレベル生成部により生成しているスライスレベルが用いられ、トラッキングサーボが有効のとき前記サンプル・ホールド部に保持されているスライスレベルが用いられるよう指示する制御信号を生成することを特徴とする請求項４に記載のミラー信号生成回路。
【請求項６】
前記制御信号生成部は、
前記ミラー信号または前記ミラー信号と周波数が実質的に同じ光ディスク装置内で生成される信号の有意な信号レベルから非有意な信号レベルまでの期間を測定する測定部を含み、
前記測定部による測定結果が所定の設定値を超えたとき、そのときの前記スライスレベルをサンプルして保持するよう指示する制御信号を生成することを特徴とする請求項４または５に記載のミラー信号生成回路。
【請求項７】
前記スライスレベル生成部は、前記トラックの状態に基づく信号の低周波数成分を抽出するためのローパスフィルタを含み、そのローパスフィルタの出力信号を前記スライスレベルとすることを特徴とする請求項３または４に記載のミラー信号生成回路。
【請求項８】
前記スライスレベル生成部および前記サンプル・ホールド部の処理をプロセッサを用いて、デジタル信号処理により行うことを特徴とする請求項３または４に記載のミラー信号生成回路。
【請求項９】
同一半導体基板上に集積化されたことを特徴とする請求項３または４に記載のミラー信号生成回路。
【請求項１０】
光ピックアップと、
前記光ピックアップから受けた光ディスクのトラックの状態に基づく信号から、ミラー信号を生成する請求項３または４に記載のミラー信号生成回路と、
を備えることを特徴とする光ディスク装置。  
【発明の詳細な説明】
【技術分野】
【０００１】
本発明は、ディスク読みとり信号などからミラー信号を生成するミラー信号生成方法、ミラー信号生成回路、およびそれを搭載した光ディスク装置に関する。
【背景技術】
【０００２】
ＣＤ−Ｒ／ＲＷ、ＤＶＤ−Ｒ／ＲＷ、ブルーレイなど、様々な規格の光ディスクが普及してきている。このような光ディスク装置にて、トラックジャンプやシーク動作などのピックアップ移動を行う際の移動距離および方向を示す信号として、トラッキングエラー信号やミラー信号がある。このミラー信号は、オントラック／オフトラック状態を示す信号を、所定のスライスレベルでコンパレートして２値化した信号である。オントラック／オフトラック状態を示す信号としては、ディスク読みとり信号（以下、本明細書ではＲＦ信号と適宜表記する。）の振幅大きさであるＲＦリップル信号（以下、ＲＦＲＰ信号と適宜表記する。）などを用いることができる。【０００３】
特許文献１は、一般的なミラー信号検出回路を示す。特許文献１の図１１の構成では、ドループレートの異なるピークボトムホールド回路を２つ設け、１段目にてＲＦ信号のエンベロープ差信号を取り出し、２段目にてピークボトムホールドを行う。この方法では、例えば、ピークホールドとボトムホールドのレベルを加算して１／２にすることにより、当該エンベロープ差信号のスライスレベルを生成している。【０００４】
なお、このようなスライスレベル生成方法にて、２段目のピークボトムホールドレベルの加算比を変える方式や、加算後に掛ける定数を工夫するなど、さまざまな方法が検討されているが、いずれにしても２段目のピークボトムホールドレベルを基準としてスライスレベルを生成している。
【特許文献１】特開平９−１２８７６１号公報
【発明の開示】
【発明が解決しようとする課題】
【０００５】
しかしながら、上記の方法ではＲＦ信号にノイズが混入したり、振幅レベルが急変した場合に、スライスレベルが安定せず、正しいミラー信号が得られない場合がある。【０００６】
本発明はこうした状況に鑑みてなされたものであり、本発明の総括的な目的は、安定したミラー信号を生成することにある。
【課題を解決するための手段】
【０００７】
上記課題を解決するために、本発明の一つの実施形態によるミラー信号生成方法は、光ディスクのトラックの状態に基づく信号からミラー信号を生成する方法であって、トラッキングサーボが有効から無効にされるときの、トラックの状態に基づく信号を２値化するためのスライスレベルを、トラッキングサーボが前回の無効のときに所定のタイミングでサンプルして保持しているスライスレベルを利用して、生成する。「光ディスクのトラックの状態に基づく信号」は、光ディスクのＲＦリップル信号であってもよいし、トラッククロス信号であってもよい。【０００８】
この態様によると、トラッキングサーボが前回の無効のときに所定のタイミングでサンプルされたスライスレベルを利用することにより、トラッキングサーボが有効から無効にされるときも、安定したスライスレベルを生成することができる。【０００９】
トラッキングサーボが有効から無効にされるときのスライスレベルを、トラッキングサーボが前回の無効から有効にされるときのタイミングでサンプルしたスライスレベルを利用して、生成してもよい。この態様によると、前回の無効から有効にされるときのタイミングでサンプルしたスライスレベルを利用すると、トラッキングサーボの次の無効期間を安定したスライスレベルで開始することができる。【００１０】
本発明の別の実施形態によるミラー信号生成回路は、光ディスクのトラックの状態に基づく信号からミラー信号を生成する回路であって、トラックの状態に基づく信号を２値化するためのスライスレベルを、その信号から生成するスライスレベル生成部と、トラッキングサーボが無効のとき所定のタイミングでサンプルしたスライスレベルを保持するためのサンプル・ホールド部と、トラックの状態に基づく信号とスライスレベルとを比較し、ミラー信号を生成する比較部と、を備える。スライスレベル生成部は、トラッキングサーボが有効から無効にされるとき、サンプル・ホールド部に保持されているスライスレベルを利用する。【００１１】
この態様によると、サンプル・ホールド部に保持されている、トラッキングサーボが前回の無効のときにサンプルされたスライスレベルを利用することにより、トラッキングサーボが有効から無効にされるときも、安定したスライスレベルを生成することができる。【００１２】
サンプル・ホールド部にスライスレベルをサンプルするためのタイミングを供給する制御信号を生成する制御信号生成部をさらに備えてもよい。制御信号生成部は、トラッキングサーボが無効から有効にされるときのタイミングをサンプル・ホールド部に供給してもよい。この態様によると、サンプル・ホールド部が無効から有効にされるときのタイミングでスライスレベルをサンプルすることができるようになり、そのスライスレベルを利用して、トラッキングサーボの次の無効期間を安定したスライスレベルで開始することができる。【００１３】
制御信号生成部は、トラッキングサーボが無効のときスライスレベル生成部により生成しているスライスレベルが用いられ、トラッキングサーボが有効のときサンプル・ホールド部に保持されているスライスレベルが用いられるよう指示する制御信号を生成してもよい。【００１４】
制御信号生成部は、ミラー信号またはミラー信号と周波数が実質的に同じ光ディスク装置内で生成される信号の有意な信号レベルから非有意な信号レベルまでの期間を測定する測定部を含んでもよい。測定部による測定結果が所定の設定値を超えたとき、そのときのスライスレベルをサンプルして保持するよう指示する制御信号を生成してもよい。【００１５】
この態様によると、スライスレベルがハイレベルまたはローレベル側に偏ったレベルでサンプルされて、保持されることを抑制することができる。【００１６】
スライスレベル生成部は、トラックの状態に基づく信号の低周波数成分を抽出するためのローパスフィルタを含み、そのローパスフィルタの出力信号をスライスレベルとしてもよい。この態様によると、ノイズに強いスライスレベル生成部を実現することができる。【００１７】
スライスレベル生成部およびサンプル・ホールド部の処理をプロセッサを用いて、デジタル信号処理により行う。この態様によると、デジタル信号処理を用いることにより、精度よくスライスレベルを生成することができる。例えば、ドループレートを所望の値に設定することができる。また、回路規模を縮小することができる。【００１８】
本発明のさらに別の実施形態による光ディスク装置は、光ピックアップと、光ピックアップから受けた光ディスクのトラックの状態に基づく信号から、ミラー信号を生成するミラー信号生成回路と、を備える。この態様によると、安定したミラー信号を生成することができる光ディスク装置を実現することができる。【００１９】
なお、以上の構成要素の任意の組合せ、本発明の表現を装置、方法、システム、コンピュータプログラムなどの間で変換したものもまた、本発明の態様として有効である。
【発明の効果】
【００２０】
本発明によれば、安定したミラー信号を生成することができる。
【図面の簡単な説明】
【００２１】
【図１】本発明の実施形態におけるミラー信号生成回路の構成を示す図である。
【図２】実施形態におけるミラー信号生成回路で生成される各信号の波形遷移を示す図である。
【図３】サンプル・ホールド部を使用しない場合のスライスレベルの遷移を示す図である。
【図４】パルス生成部の構成例を示す図である。
【図５】トラッキングループ開状態からトラッキングループ閉状態に移行する直前に、ＲＦＲＰ信号のレベルが低い期間が一定期間以上続いた場合の波形遷移を示す図である。
【図６】トラッククロス信号生成部の構成例を示す図である。
【図７】本実施形態におけるミラー信号生成回路を搭載した光ディスク装置の構成を示す図である。
【符号の説明】
【００２２】
１２  ピークホールド部、  １４  ボトムホールド部、  １６  減算部、  ２０  スイッチ、  ３０  ローパスフィルタ部、  ４０  サンプル・ホールド部、  ５０  比較部、  ６０  パルス生成部、  ６２  カウント部、  ６４  大小比較部、  １００  ミラー信号生成回路、  １０５  光ディスク、  １１０  光ピックアップ、  １２０  ドライバ、  １５０  制御部、  ２００  光ディスク装置。
【発明を実施するための最良の形態】
【００２３】
本発明は、ミラー信号生成のための最適なスライスレベルを生成し、安定したミラー信号を得るために以下のような回路構成で実現する。図１は、本発明の実施形態におけるミラー信号生成回路１００の構成を示す。ミラー信号生成回路１００の構成は、主に、ハードウェア的要素およびソフトウェア的要素の連携によって実現される機能ブロックで描いている。この機能ブロックは、ハードウエア的には任意のアナログフロントエンドプロセッサやＤＳＰ（Digital Signal Processor）などのマイクロプロセッサ、メモリ、およびオペアンプや容量などのアナログ回路素子などで実現でき、ソフトウエア的にはメモリにロードされたプログラムなどによって実現される。したがって、これらの機能ブロックがハードウエアのみ、ソフトウエアのみ、またはそれらの組合せによっていろいろな形で実現できることは、当業者に理解されるところである。【００２４】
ミラー信号生成回路１００は、ピークホールド部１２、ボトムホールド部１４、減算部１６、スイッチ２０、ローパスフィルタ部３０、サンプル・ホールド部４０、比較部５０およびパルス生成部６０を含む。ピークホールド部１２、ボトムホールド部１４および減算部１６は、ＲＦＲＰ信号を生成するための要素である。ピークホールド部１２およびボトムホールド部１４には、図示しない光ピックアップによりディスクから読み取られた信号を基に生成されたＲＦ信号が入力される。【００２５】
ピークホールド部１２は、入力されるＲＦ信号のピーク値を順次保持し、上側エンベロープ信号を生成する。ボトムホールド部１４は、入力されるＲＦ信号のボトム値を順次保持し、下側エンベロープ信号を生成する。減算部１６は、ピークホールド部１２から入力される上側エンベロープ信号のレベルから、ボトムホールド部１４から入力される下側エンベロープ信号のレベルを減算し、ＲＦＲＰ信号を生成する。このＲＦＲＰ信号は、比較部５０に入力される。また、スイッチ２０を介してローパスフィルタ部３０にも入力される。【００２６】
スイッチ２０、ローパスフィルタ部３０およびサンプル・ホールド部４０は、比較部５０で上記ＲＦＲＰ信号を２値化するための、スライスレベル信号を生成するための要素である。スイッチ２０は、上記ＲＦＲＰ信号およびサンプル・ホールド部４０からフィードバックしてくる信号のいずれかを選択して、ローパスフィルタ部３０に出力する。ローパスフィルタ部３０は、入力される信号のうち、所定の遮断周波数以下の周波数成分だけを通過させる。ローパスフィルタ部３０は、デジタルフィルタで構成してもよいし、アナログフィルタで構成されてもよい。デジタルフィルタで構成された場合、ドループレートを零に設定することもできる。【００２７】
サンプル・ホールド部４０は、ローパスフィルタ部３０の出力信号を所定のタイミングでサンプリングし、所定の期間保持する。このサンプルリングタイミングや保持期間は、パルス生成部６０により生成されるパルス信号により制御される。サンプル・ホールド部４０は、保持している信号をスライスレベル信号として比較部５０に供給する。また、保持している信号を、スイッチ２０を介してローパスフィルタ部３０にフィードバックする。したがって、ローパスフィルタ部３０は、上記ＲＦＲＰ信号が入力されない期間にサンプル・ホールド部４０の値を保持していることができ、上記ＲＦＲＰ信号が入力さるように切り替わったとき、その値を保持した状態から当該ＲＦＲＰ信号のフィルタリングを開始することができる。【００２８】
比較部５０は、入力されるＲＦＲＰ信号と入力されるスライスレベル信号とを比較し、その比較結果に応じて、ハイレベル信号またはローレベル信号を出力する。例えば、ＲＦＲＰ信号がスライスレベル信号を超えていればハイレベル信号を出力し、それ以下であればローレベル信号を出力してもよい。この２値化された比較部５０の出力信号がミラー信号となる。【００２９】
パルス生成部６０は、スイッチ２０およびサンプル・ホールド部４０を制御するためのパルス信号を生成する。例えば、光ピックアップのトラッキングサーボを有効にするためのトラッキングループが閉状態のときローレベル信号を、開状態のときハイレベルの信号を生成する。この場合、スイッチ２０は、このパルス信号を受けて、ハイレベル信号の場合、ＲＦＲＰ信号が入力される経路を選択し、ローレベル信号の場合、サンプル・ホールド部４０からのフィードバック信号が入力される経路を選択する。サンプル・ホールド部４０は、ハイレベル信号の場合、機能を停止していてもく、そのハイレベル信号からローレベル信号への立ち下がりエッジで、ローパスフィルタ部３０の出力信号をサンプルする。ローレベル信号の期間、そのサンプルした値を保持する。【００３０】
次に、実施形態におけるミラー信号生成回路１００によるミラー信号生成の様子を示す。図２は、実施形態におけるミラー信号生成回路１００で生成される各信号の波形遷移を示す。ミラー信号が必要とされるのは、主に、トラックジャンプ時のようにトラッキングループ閉状態から開状態への切り替えが行われるときである。【００３１】
図２は、トラッキングサーボを有効にするためのトラッキングループが閉状態または開状態と変化する場合を示す。ＲＦＲＰ信号は、ＲＦ信号再生前やトラックジャンプまたはシーク中などのトラッキングループ開状態では、ディスクの偏心やレンズ移動などで、レンズがトラックをよぎるので、図のように波形レベルが上下する。トラッキングループ閉状態では、オントラック状態が維持されるため、波形レベルが安定する。なお、オントラック時は、ＲＦ信号の振幅が大きいので比較的高いレベルで推移する。【００３２】
このようなＲＦＲＰ信号は、ローパスフィルタ部３０の出力信号であるスライスレベルで２値化される。ローパスフィルタ部３０の出力信号は、トラッキングループ閉状態では、サンプル・ホールド部４０に保持され、スライスレベルは一定のレベルに維持される。トラッキングループ閉状態では、ローパスフィルタ部３０にＲＦＲＰ信号が入力される。トラッキングループ閉状態から開状態へ移行する際、閉状態で保持されていたスライスレベルから波形変化が開始するため、安定したレベルに遷移する過渡期間がなく、すぐに安定したレンジ内でスライスレベルが推移する。したがって、常に安定したスライスレベルが維持され、そのスライスレベルを利用して２値化されたミラー信号も安定する。【００３３】
図３は、サンプル・ホールド部を使用しない場合のスライスレベルの遷移を示す。トラッキングループ開状態でも閉状態でも、ＲＦＲＰ信号からスライスレベルを生成すると、図のように、トラッキングループが閉状態から開状態に移行する際に、正しいスライスレベルが得られないことがわかる。すなわち、ローパスフィルタの積分的作用により、正しいスライスレベルに安定するまで時間がかかる。【００３４】
図４は、パルス生成部６０の構成例を示す。上記の説明では、パルス生成部６０は、トラッキングループ閉状態でスライスレベルをホールドするよう制御するためにハイレベルをとり、トラッキングループ開状態でＲＦＲＰ信号をサンプルするよう制御するためにローレベルをとるパルスを生成する例を説明した。図５は、トラッキングループ開状態からトラッキングループ閉状態に移行する直前に、ＲＦＲＰ信号のレベルが低い期間が一定期間以上続いた場合の波形遷移を示す。【００３５】
図５（ａ）は、上述した例のように、トラッキングループの開閉状態とサンプル・ホールドパルスが同期している場合の波形遷移を示す。図のように、ＲＦＲＰ信号のレベルが低い時間が長く続く場合、スライスレベルが偏ってしまう。このような状態はトラックジャンプ終了時などによくみられる現象である。スライスレベルが偏って低下してきたときに、トラッキングループの開状態から閉状態に移行すると、その低いスライスレベルがサンプル・ホールド部４０に保持されてしまう。【００３６】
図４の構成例は、このような状態に対しても安定したスライスレベルを維持することができる構成である。図４にて、パルス生成部６０は、カウント部６２および大小比較部６４を含む。カウント部６２は、入力されるミラー信号の変動時間つまりローレベルからハイレベル、またはハイレベルからローレベルに至る時間を測定する。カウント部６２は、インターバルカウンタで構成されてもよい。一般に、このようなカウンタはトラックジャンプの速度制御に必要であるため、サーボプロセッサの機能として光ディスク装置内に備わっている場合が多い。【００３７】
大小比較部６４は、カウント部６２にてカウントされた値と、あらかじめ設定した所定の設定値とを比較して、それらの大小関係をサンプル・ホールドパルスとして出力する。ここで、所定の設定値は、これ以上サンプルし続けるとローパスフィルタ部３０の出力信号が時定数によって、ハイレベルまたはローレベル方向に是認することができない偏りが生じるか否かを判定するための値である。この値は実験やシミュレーションにより求めてもよい。【００３８】
大小比較部６４は、カウント部６２のカウント値がこの所定の設定値より大きい場合、そのときのスライスレベルをホールドするよう、ローレベルのサンプル・ホールドパルスを出力する。これにより、ミラー信号の速度が遅くなった場合に、自動的にローパスフィルタ部３０がホールド状態となり、安定したスライスレベルを保持することができる。なお、ミラー信号の速度が遅いとは、ミラー信号の変動区間が長く、周波数が低い場合をいう。また、トラッキングループ閉状態でハイレベルをとり、トラッキングループ開状態でローレベルをとるパルスと、大小比較部６４の出力パルスと論理積をとってもよい。【００３９】
図５（ｂ）は、図４の構成のパルス生成部６０により制御されている場合の波形遷移を示す。トラッキングループ開状態からトラッキングループ閉状態に移行する直前に、ＲＦＲＰ信号のレベルが低い期間が一定期間以上続いた場合でも、スライスレベルがローレベル方向に大きく偏る前に、サンプル・ホールドパルスが反転するため、偏りの小さいスライスレベルを保持することができる。【００４０】
上述した説明では、ミラー信号を生成するために、ＲＦＲＰ信号を用いる例を説明した。この点、光ディスク装置内にて他に利用できる信号があれば、それを利用してもよい。例えばトラッククロス信号を利用することができる。トラッククロス信号とは、トラック上で最大となりトラック間中央で最小となるトラック横断信号を指す。【００４１】
図６は、トラッククロス信号生成部１８の構成例を示す。受光素子７０は、メインビームＭに関する反射光成分を受光するための４分割された受光領域Ａ、Ｂ、Ｃ、Ｄと、一方のサブビームに関する反射光成分を受光するためのトラッキング方向に２分割された受光領域Ｅ１、Ｅ２と、他方のサブビームに関する反射光成分を受光するためのトラッキング方向に２分割された受光領域Ｆ１、Ｆ２とを有する。【００４２】
上記受光素子７０から求められるトラッククロス信号ＴＣは、
ＴＣ＝{(Ａ＋Ｄ)＋(Ｂ＋Ｃ)}−Ｋ＊{(Ｅ１＋Ｆ１)＋(Ｅ２＋Ｆ２)}…（式１）
で示される。【００４３】
このトラッククロス信号ＴＣは、光ピックアップの高速シーク時のトラック跨ぎ数をカウントしたり、トラックエラー信号との位相差が９０°であるという特徴を利用してシーク時のトラッキングサーボ引込みなどに利用される。上記式１中の定数Ｋの値は、メインビームとサブビームとのゲイン比を表しており、このＫ値な適切な値に設定することにより、トラッククロス信号ＴＣのオフセットを除去する。【００４４】
上記式２を実現するために、(Ａ＋Ｄ)、(Ｂ＋Ｃ)、(Ｅ１＋Ｆ１)および(Ｅ２＋Ｆ２)なる加算処理をそれぞれ行なう第１加算アンプ８０、第２加算アンプ８２、第３加算アンプ８４および第４加算アンプ８６が設けられる。また、これらの加算アンプ８０〜８６の演算結果に基づき、{(Ａ＋Ｄ)＋(Ｂ＋Ｃ)}および{(Ｅ１＋Ｆ１)＋(Ｅ２＋Ｆ２)}なる加算処理を行なう第５加算アンプ８８および第６加算アンプ９０が設けられている。そして、第６加算アンプの出力側にはゲインがＫに設定されるゲイン調整アンプ９２が設けられる。さらに、最終的に（式１)を実行する演算アンプ９４が設けられる。なお、迷光の影響を除去するなどを行うためのゲイン可変アンプ９６が設けられてもよい。その場合、ゲイン可変アンプ９６には、所定のオフセット量ＴＣＯＦＳが入力される。【００４５】
トラッククロス信号生成部１８は、図１に示したピークホールド部１２、ボトムホールド部１４および減算部１６の代わりに、ローパスフィルタ部３０および比較部５０に接続されることができる。すなわち、ローパスフィルタ部３０および比較部５０にＲＦＲＰ信号の代わりにトラッククロス信号が入力されることになる。【００４６】
このような手法は、メインビームとサブビームとを用いたピックアップ方式でのみ有効であるが、ＣＤ−Ｒ、ＤＶＤ±Ｒなどの未記録メディアで、ＲＦ信号が生成されない場合に、ミラー信号を生成する方式として用いることができる。【００４７】
以上説明したように本実施形態によれば、ＲＦＲＰ信号やトラッククロス信号のスライスレベルを生成するために、ローパスフィルタの出力信号を使用するので、ピークボトムホールド回路を使用する方式にくらべて、ノイズや振幅変動に強く、安定したミラー信号が得ることができる。また、ローパスフィルタとサンプル・ホールド回路で構成するので、小規模で単純な構成で実現することができる。さらに、ＤＳＰで実現すれば、構成がより小型化し、また、デジタル的にレベルを保持するため、スライスレベルのホールドのドループを零にすることができる。【００４８】
さらに、ミラー信号の変動間隔を測定して所定間隔よりも長い場合、サンプル・ホールド回路をホールドする機能を持たせることができ、その場合、スライスレベルがハイレベルまたはローレベルの一方に偏ることを防ぐことができ、安定したミラー信号を得ることができる。【００４９】
次に、上記実施形態にて説明したミラー信号生成回路１００を搭載した光ディスク装置２００について説明する。図７は、本実施形態におけるミラー信号生成回路１００を搭載した光ディスク装置２００の構成を示す。光ピックアップ１１０は、光ディスク１０５にレーザを照射し、反射光を受光する。制御部１５０は、光ディスク装置２００全体を制御する。制御部１５０内に本実施形態におけるミラー信号生成回路１００が搭載される。ドライバ１２０は、制御部１５０の指示にしたがい光ピックアップ１１０を駆動する。本実施形態では、ミラー信号生成回路１００で生成されたミラー信号に応じて、トラックジャンプなど光ピックアップ１１０の移動を制御する。以上説明したように本実施形態によれば、上述したミラー信号生成回路と同様の効果を奏する光ディスク装置を実現することができる。【００５０】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。【００５１】
例えば、図４にて、カウント部６２にはミラー信号が入力された。この点、ミラー信号の代わりにトラッキングエラー信号やトラッククロス信号が入力されてもよい。トラッキングエラー信号やトラッククロス信号は、光ディスクシステムにて、ミラー信号と位相が異なるが周波数が同じとなるので、同様の効果を得ることができる。【００５２】
また、図１のローパスフィルタ部３０に代えて、ピークホールドとボトムホールドのレベルを加算して１／２にするといった、一般的なピークボトム回路でスライスレベルを生成する構成にも本発明は適用可能である。この場合でも、トラッキングループ閉状態から開状態へ移行する際、その変化によるスライスレベルの不安定な動きを抑制することができる。
【産業上の利用可能性】
【００５３】
本発明に係るミラー信号生成回路は、安定したミラー信号を生成することができる。
【図１】
2006123603.tif 000002
【図２】
2006123603.tif 000003
【図３】
2006123603.tif 000004
【図４】
2006123603.tif 000005
【図５】
2006123603.tif 000006
【図６】
2006123603.tif 000007
【図７】
2006123603.tif 000008
【国際調査報告】
2006123603.tif 000009
2006123603.tif 000010